【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
原子炉の壁（３０）上の原子炉圧力容器パッド（１３０）に結合され、該原子炉のジェットポンプ（３４）を支持するための上部（４１ａ、４２ａ）及び下部（４１ｂ、４２ｂ）昇水管ブレースリーフを有する該原子炉内の昇水管ブレース組立体（４０）を補修するためのクランプ装置（５０）であって、
前記上部昇水管ブレースリーフ（４１ａ、４２ａ）と下部昇水管ブレースリーフ（４１ｂ、４２ａ）とは互いに離間し、前記上部昇水管ブレースリーフ（４１ａ、４２ａ）と下部昇水管ブレースリーフ（４１ｂ、４２ａ）の各々はそれぞれの上側面と下側面とを有しており、
前記クランプ装置（５０）は、
本体と、この本体から伸びた延長部分（６２）とを有する第１のクランプ構成部品（６０）と、
本体と、前記第１のクランプ構成部品（６０）の前記延長部分（６２）を受け入れ可能な形状を有するスロット部分（７２）とを備えた第２のクランプ構成部品（７０）であって、前記第１のクランプ構成部品（６０）の前記延長部分（６２）とこの第２のクランプ構成部品（７０）のスロット部分（７２）とが係合して前記昇水管ブレース組立体（４０）の前記上部昇水管ブレースリーフ（４１ａ，４２ａ）と下部昇水管ブレースリーフ（４１ｂ，４２ｂ）との間に置かれるときに、前記スロット部分（７２）が前記延長部分（６２）と協働して、前記第１のクランプ構成部品（６０）に対するこの第２のクランプ構成部品（７０）の位置合せ機能を行うように構成された第２のクランプ構成部品（７０）と、
前記第１クランプ構成部品（６０）の前記延長部分（６２）と前記第２のクランプ構成部品（７０）の前記スロット部分（７２）とが契合した状態において、前記第１クランプ構成部品（６０）と第２のクランプ構成部品（７０）の各々と結合して、前記上部昇水管ブレースリーフ（４１ａ，４２ａ）の前記上側面上を圧接する第１のプレート（８０）と、
前記第１クランプ構成部品（６０）の前記延長部分（６２）と前記第２のクランプ構成部品（７０）の前記スロット部分（７２）とが契合した状態において、前記下側昇水管ブレースリーフ（４１ｂ，４２ｂ）の前記下側面上を圧接する第２のプレート（９０）、
とを具備したことを特徴とするクランプ装置（５０）。
【請求項２】
前記第１のクランプ構成部品（６０）が雄ヒンジ部（１７２）または雌ヒンジ部（１６２）を有し、前記第２のクランプ構成部品（７０）が前記第１のクランプ構成部品（６０）の前記雄または雌のヒンジ部に合体する雌または雄のヒンジ部（１６２，１７２）を有し、且つ前記第１と第２のクランプ構成部品（６０，７０）の前記ヒンジ部（１６２，１７２）同士は合体してヒンジを形成することにより、前記第１及び第２のクランプ構成部品（６０，７０）のある角度にわたる  関節運動が可能になることを特徴とする請求項１記載のクランプ装置。
【請求項３】
前記第１及び第２のクランプ構成部品（６０，７０）が、前記上部及び下部昇水管ブレースリーフ（４１ａ、４２ａ、４１ｂ、４２ｂ）の１つのみに固定取付けされることを特徴とする請求項１記載のクランプ装置。
【請求項４】
前記原子炉容器パッド（１３０）が、
その原子炉容器パッド（１３０）の外側端縁上に設けられた凹設チャンネル（１５０）を有し、
前記第１及び第２のクランプ構成部品（６０，７０）の少なくとも一方が、前記凹設チャンネル（１５０）の凹部に契合することにより、該原子炉容器パッド（１３０）に接合することを特徴とする請求項１記載のクランプ装置。
【請求項５】
前記第１及び第２のクランプ構成部品（６０，７０）を前記上部及び下部昇水管ブレースリーフ（４１ａ，４２ａ、４１ｂ，４２ｂ）に固定結合するための１つ又はそれ以上のブレースボルト（８１）をさらに含み、
前記上部及び下部昇水管ブレースリーフ（４１ａ，４２ａ、４１ｂ，４２ｂ）の１つは、該昇水管ブレースリーフ内に機械加工されて前記ブレースボルト８１）を受けるようになった一対の対向する陥凹部（１７０）を含むことを特徴とする請求項４記載のクランプ装置。
【請求項６】
前記原子炉容器パッド（１３０）が、ほぼ方形又は矩形であり、かつそのコーナ部において該原子炉容器パッド（１３０）内に機械加工された複数の水平支持面（１６０）を含み、
前記第１のプレート（８０）が、前記原子炉容器パッド（１３０）の上部水平支持面と同一の平面内に水平に位置するように据付けられ、かつ前記上部昇水管ブレースリーフ（４１ａ、４２ａ）の上面上に当接し、
前記第１のプレート（８０）が前記上部昇水管ブレースリーフと能動的接触を維持するように、該第１のプレート（８０）と前記ブレースボルト（８１）の上面との間に複数の等間隔ギャップ（１８０）が設けられ、
前記第２のプレート（９０）が、前記原子炉容器パッド（１３０）の下部水平支持面と同一の平面内に水平に位置するように据付けられ、かつ前記第１及び第２のクランプ構成部品（６０，７０）の下側面と能動的接触を維持するように該下側面上に当接し、
前記第２のプレート（９０）が、前記上部及び下部昇水管ブレースリーフ（４１ａ，４１ｂ）の１つと接触していないことを特徴とする請求項５記載のクランプ装置。
【請求項７】
前記第１及び第２のクランプ構成部品（６０，７０）並びに第１及び第２のプレート（８０，９０）が、締付け力を与えるようになった機械式ファスナで前記昇水管ブレース組立体（４０）に固定取付けされ、
前記機械式ファスナが、１つ又はそれ以上のクランプボルト（７３）と、その上にキー形状部（７７）を有するクランプボルトキーパ（７４）と、その上にキー形状部（６７）を有するクランプボルトナット（６３）とを含み、
前記第１及び第２のクランプ構成部品（６０，７０）の各々が、その中にキー溝を有するボア（６４）、（７４）と、所定のクランプボルト形状部のキー形状部（６７）、（７７）の１つを受ける対応するボア内の所定のキー溝と、前記ボア内に配置されるクランプボルトナットとを含み、
前記キー形状部が、前記第１及び第２のクランプ構成部品の１つ又はその両方との間でのクランプボルトキーパ及びクランプボルトナットの相対的回転を阻止し、
各クランプボルト及びクランプボルトキーパが、その上に歯を含み、所定のクランプボルトキーパの歯が、所定の対応するクランプボルトの歯と係合して該クランプボルトにおける機械的予荷重の低下を防止するようにすることを特徴とする請求項４記載のクランプ装置。
【請求項８】
原子炉の壁（３０）上の原子炉容器パッド（１３０）と原子炉内でジェットポンプ（３４）を支持する、上部（４１ａ、４２ａ）及び下部（４１ｂ、４２ｂ）昇水管ブレースリーフを有する昇水管ブレース組立体（４０）との接合面にクランプ装置（５０）を据付ける方法であって、
第１のクランプクランプ構成部品（６０）の中央延長部分（６２）を第２のクランプ構成部品（７０）のスロット部分（７２）内に係合させて前記上部及び下部昇水管ブレースリーフ間で該第１及び第２のクランプ構成部品間の位置合せを行う段階と、
前記第１及び第２のクランプ構成部品を前記原子炉容器パッド並びに前記上部及び下部昇水管ブレースリーフの１つに固定するように締付け力を加える段階と、
前記上部昇水管ブレースリーフの上面上に当接するように第１のプレート（８０）を前記第１及び第２のクランプ構成部品に取付ける段階と、
前記第１及び第２のクランプ構成部品の下側面上に当接するように第２のプレート（９０）を該第１及び第２のクランプ構成部品に取付ける段階とを含むことを特徴とする方法。
【請求項９】
原子炉内で昇水管ブレース組立体（４０）の上部（４１ａ）及び下部（４２ａ）昇水管ブレースリーフの１つを原子炉容器パッド（１３０）に取付けるために使用している欠陥溶接部（１４３〜１４６）と構造的に置き換わるクランプ装置（５０）であって、
中央延長部分を備えた第１のクランプ構成部品（６０）と、
スロット部分（７２）を備えた第２のクランプ構成部品（７０）と、を含み、
前記中央延長部分が前記スロット部分内に係合し、前記第１及び第２のクランプ構成部品が前記上部及び下部昇水管ブレースリーフの１つのみに取付けられた状態で固定されて欠陥溶接部に置き換わる、
ことを特徴とするクランプ装置（５０）。
【手続補正２】
【補正対象書類名】明細書
【補正対象項目名】０００９
【補正方法】変更
【補正の内容】
【０００９】
最近、国内のＢＷＲでは、昇水管ブレースクランプが製作されかつ据付けられている。これらのクランプは、選択した少数のＢＷＲの昇水管ブレース組立体において昇水管ブレースと隣接する「ブロック」構造体との間で構造的支持を与えるように設計されている。このような例示的なクランプ装置が、本発明者に対する、「原子炉における昇水管ブレースを補修するための方法及び装置」の名称の米国特許第６，８５７，８１４号に記載されており、この特許の関連部分は、参考文献としてその全体を本明細書に組み入れている。
【特許文献１】米国特許第６，８５７，８１４号
【特許文献２】米国特許第６４５６６８２号
【特許文献３】米国特許第６６４７０８３号